(57)【特許請求の範囲】
【請求項１】
筺体の内部一端に送話用のマイクロホンを設け、筺体の底部または側部に外部入出力端子を設けたハンドセット型電話機において、前記マイクロホンのホルダーと前記外部入出力端子のカバーとを、そのつなぎ部がコの字形になるように一体成形し、筐体に前記コの字形のつなぎ部に挿入可能なリブを設けたことを特徴とするマイクロホンの保持構造。
【請求項２】
ホルダーをマイクロホンに冠着してホルダーの頂部を筐体の壁部に内側から圧接させるとともに、筐体に設けたリブをコの字形のつなぎ部に挿入した状態で、外部入出力端子を取り付けたプリント基板を筺体に固定したことを特徴とする請求項１記載のマイクロホンの保持構造。
【発明の詳細な説明】
【０００１】
【発明の属する技術分野】
本発明は、携帯電話、簡易携帯電話等、把握部の一端に送話用のマイクロホンと、底部または側部に外部入出力端子等を設けたハンドセット型電話機における外部入出力端子等のカバーと送話器用マイクロホンの一体保持構造に関する。
【０００２】
【従来の技術】
従来、送話器用マイクロホンの一体保持構造は実開平６―１９３４６号に記載されたものが知られている。図４から図６は従来の送話器用マイクロホンの一体保持構造の構成を示している。把握に適した筐体１の両端寄りの内部に送話器２と受話器３とを各別に設け、中央付近にはダイヤル用およびファンクション用の押しボタン４が並設された操作部５を設け、かつ操作部５の内方には、可動接点付きドウム状弾性受部６が各押しボタン４に対応する状態に並設された、いわゆるラバーコンタクトと呼ばれる弾性シート７と、弾性受部６の可動接点に対応する固定接点が設けられたプリント基板（プリント配線板）８とを重合して配置し、これにより、押しボタン４が退没した場合に限り、前記弾性受部６に抗して可動接点に接触させることができるように構成されている。このような押しボタンスイッチのほかに、受話部３および必要な電装品（図示せず）並びに送話用マイクロホン９が筺体１内に装備され、押しボタン用弾性シート７を延長した状態のもとに、その延長部分に送話器用マイクロホンのホルダー１０を一体的に成形し、ホルダー１０をマイクロホン９に冠着したまま、ホルダー１０の頂部が筐体１の壁部に内方から圧接する状態のもとに、基板８を筐体１に固着するようにしている。
【０００３】
【発明が解決しようとする課題】
しかしながら、上記従来のマイクロホンの一体保持構造においては、送話用マイクロホンのホルダは、たとえば、押しボタン用の弾性シートなどの外力の影響が送話用マイクロホンのホルダーに伝わりにくい部材としか一体化できず、構造上の制約があり、構造を簡素化してコストダウンを図ることが難しいという問題を有していた。
【０００４】
本発明は、上記従来の問題を解決するもので、単純な構造で、安価な送話用マイクロホンの保持構造を提供することを目的とする。
【０００５】
【課題を解決するための手段】
上記目的を達成するために本発明は、マイクロホンのホルダーと外部入出力端子のカバーとのつなぎ部をコの字形に一体成形するとともに、筐体に設けたリブとプリント基板とによってつなぎ部を圧接挟持することにより、外部入力端子に外力が加えられても、マイクロホンのホルダーに伝わらないようにしたものである。
【０００６】
以上により、外力が加えられる外部入出力端子のカバーにマイクロホンのホルダーを一体成形しても、ホルダーには外力が伝わらないようにすることができるので、単純な構造で、安価な送話用マイクロホンの一体保持構造が得られる。
【０００７】
【発明の実施の形態】
本発明の請求項１に記載の発明は、筺体の内部一端に送話用のマイクロホンを設け、筺体の底部または側部に外部入出力端子を設けたハンドセット型電話機において、マイクロホンのホルダーと外部入出力端子のカバーとを、そのつなぎ部がコの字形になるように一体成形し、筐体にコの字形のつなぎ部に挿入可能なリブを設けたことを特徴とするマイクロホンの保持構造であり、単純な構造で安価な送話用マイクロホンの一体保持構造を実現することができるととともに、外部入出力端子用カバーの紛失を防ぐことができるという作用を有する。
【０００８】
また、請求項２に記載の発明は、ホルダーをマイクロホンに冠着してホルダーの頂部を筐体の壁部に内側から圧接させるとともに、筐体に設けたリブをコの字形のつなぎ部に挿入した状態で、外部入出力端子を取り付けたプリント基板を筺体に固定したことを特徴とする請求項１記載のマイクロホンの保持構造であり、マイクロホンのホルダーはマイクロホンに冠着されているため、周囲からの雑音の進入を防止するととともに、マイクロホン本体の振動を防止し、かつマイクロホンに加えられる機械的外力から保護することができ、外部入出力端子のカバーに加えられる機械的外力をマイクロホンのホルダーに伝わりにくくすることができるという作用を有する。
【０００９】
以下、本発明の実施の形態について、図１から図３を用いて説明する。
（実施の形態１）
図１は本発明のマイクロホンの保持構造を適用したハンドセット型電話機の要部を例示する一部縦断面図であり、図２は本発明の要部の分解斜視図、図３は本発明の要部の斜視図である。
【００１０】
本実施の形態は、把握に適した筐体１１の一端の内部に送話器２を設けるほか、中央付近にはダイヤル用およびファンクション用の押しボタン４が並設された操作部５を設け、かつ操作部５の内方には、可動接点付きドウム状弾性受部６が各押しボタン４に対応する状態に並設されたいわゆるラバーコンタクトと呼ばれる弾性シート７と、弾性受部６の可動接点に対応する固定接点が設けられたプリント基板（プリント配線板）８とを重合して配置し、これにより、押しボタン４が退没した場合に限り、弾性受部６に抗して可動接点に接触させることができるように構成し、さらにこのような押しボタンスイッチのほかに、押しボタンスイッチに必要な電装品（図示せず）並びに送話用マイクロホン９を装備したことまでは、図４から図６で説明した従来の技術と同様である。
【００１１】
本実施の形態は、上記構成に加え、さらに、筺体１１の底部または側部にプリント基板８に固定された外部入出力端子１２を備えており、マイクロホン９のホルダー１３と外部入出力端子１２のカバー１４とを、そのつなぎ部１５がコの字形になるように一体成形する。組み立てに際しては、ホルダー１３をマイクロホン９に嵌着するとともに、筐体１１に設けたリブ１６をコの字形のつなぎ部１５に挿入した状態でプリント基板８を筺体１１に固定する。これにより、つなぎ部１５をリブ１６とプリント基板８とで圧接狭持することができ、外部入出力端子１２のカバー１４に加えられる機械的外力をマイクロホンのホルダー１３に伝わらないようにすることができる。したがって、機械的外力が加えられる外部入出力端子１２のカバー１４であってもホルダー１３と一体化することができ、単純な構造で安価な送話用マイクロホンの一体保持構造を実現することができるととともに、外部入出力端子１２のカバー１４の紛失を防ぐことができる。
【００１２】
なお、以上の説明では、マイクロホンのホルダー１３と外部入出力端子１２のカバー１４のみを一体成形した構成の例を説明したが、その他に従来技術と同様の押しボタン用の弾性シート７などをこれらと一体に成形することも可能である。
【００１３】
【発明の効果】
以上のように本発明は、マイクロホンのホルダーと外部入出力端子のカバーとのつなぎ部をコの字形に一体成形するととともに、筐体に設けたリブとプリント基板とによってつなぎ部を圧接挟持することにより、外部入出力端子のカバーに加えられた機械的外力をマイクロホンのホルダーに伝わらないようにすることができ、機械的外力が加えられる外部入出力端子のカバーであってもマイクロホンのホルダーと一体成形することができ、単純な構造で、安価な送話用マイクロホンの一体保持構造が得られるという効果が得られる。
【図面の簡単な説明】
【図１】本発明の実施の形態におけるハンドセット型電話機の要部を示す一部縦断面図
【図２】本発明の実施の形態におけるハンドセット型電話機の要部の分解斜視図
【図３】本発明の実施の形態におけるハンドセット型電話機の要部斜視図
【図４】従来の保持構造を適用したハンドセット型電話機の要部を示す一部縦断面図
【図５】従来の技術を用いたコードレス電話機の正面図
【図６】従来の技術で用いられているマイクロホンのホルダーと弾性シートとを一体に成形した部品の斜視図
【符号の説明】
１、１１  筐体
２  送話器
３  受話器
４  押しボタン
５  操作部
６  ドーム状弾性受部
７  弾性シート
８  プリント基板
９  マイクロホン
１０、１３  マイクロホンのホルダー
１２  外部入出力端子
１４  外部入出力端子のカバー
１５  つなぎ部のコの字形状
１６  筐体に設けたリブ
【図１】
0003701435.tif 000002
【図２】
0003701435.tif 000003
【図３】
0003701435.tif 000004
【図４】
0003701435.tif 000005
【図５】
0003701435.tif 000006
【図６】
0003701435.tif 000007